(57)【要約】  バンド１の帯状部２の幅方向両側には、歯３１，３２がそれぞれ形成されている。突起部５１〜５４が、帯状部２の幅方向両側の歯３１，３２にそれぞれ係止するように、帯状部の基端部に形成されている。突起部５１〜５４の間には、帯状部２の先端部２２及び中間部２１のうち、歯３１，３２が形成された部位を突起部５１〜５４の間に出し入れするための開放部が設けられている。突起部５１〜５４は歯３１，３２が帯状部２の厚み方向に離脱するのを防止するストッパ部６１，６２を有し、帯状部２の基端部における突起部５１〜５４の間に、弱化部６５を設けることができる。
2009041071.tif 000002
【特許請求の範囲】
【請求項１】
基端部、中間部及び先端部を有する帯状部と、
上記基端部の厚み方向一方側の面に形成された係止手段と、
上記先端部及び上記中間部の少なくとも一部に、上記帯状部の長手方向に連続して形成された複数の歯とを備え、
上記帯状部の少なくとも一部を屈曲させて、上記先端部から上記中間部の一部を上記基端部の厚み方向一方側の面に重ね合わせて上記歯を上記係止手段に係止させることによって上記帯状部を輪にし、上記係止手段に係止させる上記歯を変更してその輪の径を調節するように構成されたバンドにおいて、
上記歯は、上記帯状部の幅方向両側にそれぞれ形成され、
上記係止手段は、上記帯状部の幅方向両側の歯にそれぞれ係止するように、上記基端部の幅方向に離れて複数形成され、
上記係止手段の間には、上記先端部及び中間部のうち、上記歯が形成された部位を該係止手段の間に出し入れするための開放部が設けられていることを特徴とするバンド。
【請求項２】
請求項１に記載のバンドにおいて、
係止手段は、歯が帯状部の厚み方向に離脱するのを阻止するストッパ部を有していることを特徴とするバンド。
【請求項３】
請求項２に記載のバンドにおいて、
ストッパ部は、基端部の厚み方向一方側の面から帯状部の厚み方向に離れて配置されていることを特徴とするバンド。
【請求項４】
請求項２または３に記載のバンドにおいて、
ストッパ部には、帯状部を係止手段の間へ案内する案内面が形成されていることを特徴とするバンド。
【請求項５】
請求項１から４のいずれか１つに記載のバンドにおいて、
帯状部の基端部は、中間部及び先端部よりも幅広に形成されていることを特徴とするバンド。
【請求項６】
請求項１から５のいずれか１つにに記載のバンドにおいて、
基端部の幅方向両側には、該基端部の幅方向中央部よりも厚肉の厚肉部が形成され、
係止手段が上記厚肉部と一体化していることを特徴とするバンド。
【請求項７】
請求項１から６のいずれか１つに記載のバンドにおいて、
係止手段は、基端部の厚み方向一方側の面から突出し、基端部の幅方向に互いに対向するように配置された突起部を有していることを特徴とするバンド。
【請求項８】
請求項１から７のいずれか１つに記載のバンドにおいて、
帯状部の基端部には、係止手段の間に弱化部が設けられていることを特徴とするバンド。
【請求項９】
請求項８に記載のバンドにおいて、
弱化部は、帯状部の基端部を厚み方向に貫通する孔部で構成されていることを特徴とするバンド。
【請求項１０】
請求項１から９のいずれか１つに記載されたバンドがバッグとセットにされたバッグセット。
【発明の詳細な説明】
【技術分野】
【０００１】
本発明は、例えば、各種容器を吊したり、各種部材をまとめて結束する場合に用いられるバンドと、そのバンドを備えたバッグセットに関する。
【背景技術】
【０００２】
従来より、この種のバンドとして、例えば、特許文献１に開示されているように、屈曲自在に形成された帯状部を、使用時に輪にして保持するように構成されたものが知られている。帯状部の基端部には、該帯状部がその先端部から差し込まれる貫通孔が形成され、また、帯状部の中間部には、鋸歯状に連続する多数の歯が形成されている。貫通孔の内周部には、歯に係止する係止部が設けられている。この係止部は、該係止部と一体化したつまみ部を操作することによって動くようになっている。【０００３】
そして、上記バンドの使用時には、まず、帯状部を屈曲させるとともに、その先端部を貫通孔に差し込んでいき、帯状部を輪にする。帯状部を先端部から貫通孔に差し込んでいくと、歯が係止部に係止して、帯状部が輪になった状態で保持される。これにより、各種容器を吊したり、各種部材を結束することができる。その輪の径を調節する際には、つまみ部を操作して係止部を歯から離脱させてから、帯状部を貫通孔から抜く方向に引っ張ったり、より深く差し込んだりすることによって、係止部に係止する歯を別の歯に変更する。また、輪の状態にある帯状部を元の平らな形状に戻す際には、同様に係止部を歯から離脱させて、帯状部を貫通孔から引き抜く。
【特許文献１】特開２００３−４７１３９号公報
【発明の開示】
【発明が解決しようとする課題】
【０００４】
ところが、特許文献１のバンドでは、帯状部を輪にする場合に、帯状部をその先端部から貫通孔に差し込む必要があり、操作が煩雑である。また、帯状部を輪の状態から元の形状に戻す場合には、帯状部を貫通孔へ差し込んでいる分だけ、貫通孔から引き抜かなければならないので、この場合も、操作が煩雑になってしまう。加えて、帯状部を輪にする場合、元の形状に戻す場合、及び輪の径を調節する場合には、帯状部を貫通孔内で移動させることになるが、係止部が貫通孔の内周部にあるため、この係止部に歯が引っ掛かることがあり、さらに、歯が係止部以外の貫通孔の縁部にも引っ掛かることがある。このように、特許文献１のバンドは、操作が煩雑で、しかも、操作を迅速に行いづらいという問題がある。【０００５】
本発明は斯かる点に鑑みてなされたものであり、その目的とするところは、歯を係止手段に係止させて輪の状態にして使用するバンドにおいて、各操作を簡単にかつ迅速に行えるようにすることにある。
【課題を解決するための手段】
【０００６】
上記目的を達成するために、本発明では、帯状部の幅方向両側に形成した歯にそれぞれ係止する係止手段を、帯状部の基端部に幅方向に離して形成し、これら係止手段の間に開放部を形成し、この開放部を利用して帯状部の出し入れを可能にした。【０００７】
具体的には、第１の発明では、基端部、中間部及び先端部を有する帯状部と、上記基端部の厚み方向一方側の面に形成された係止手段と、上記先端部及び上記中間部の少なくとも一部に、上記帯状部の長手方向に連続して形成された複数の歯とを備え、上記帯状部の少なくとも一部を屈曲させて、上記先端部から上記中間部の一部を上記基端部の厚み方向一方側の面に重ね合わせて上記歯を上記係止手段に係止させることによって上記帯状部を輪にし、上記係止手段に係止させる上記歯を変更してその輪の径を調節するように構成されたバンドにおいて、上記歯は、上記帯状部の幅方向両側にそれぞれ形成され、上記係止手段は、上記帯状部の幅方向両側の歯にそれぞれ係止するように、上記基端部の幅方向に離れて複数形成され、上記係止手段の間には、上記先端部及び中間部のうち、上記歯が形成された部位を該係止手段の間に出し入れするための開放部が設けられている構成とする。【０００８】
この構成によれば、帯状部を輪にして保持する場合には、例えば帯状部の中間部を屈曲させて、該中間部を開放部から係止手段の間に入れて、中間部を基端部の厚み方向一方側の面に重ね合わせて、歯を係止手段にそれぞれ係止させる。また、輪の状態にある帯状部を元の形状に戻す場合には、中間部を係止手段の間から開放部を介して出すことにより、歯を係止手段から離脱させることが可能になる。また、輪の径を調節する場合には、上記のようにして歯を係止手段から離脱させ、中間部を係止手段の間から開放部を介して出した後、任意の径となるように帯状部の各部を屈曲させてから、例えば中間部を開放部から係止手段の間に入れて、別の歯を係止手段に係止させればよい。尚、先端部の歯を係止手段に係止させたり、係止手段から離脱させることも上記と同様に可能である。【０００９】
つまり、歯を係止手段に係止させて帯状部を輪にする場合、歯を係止手段から離脱させて帯状部を元の形状に戻す場合、及び輪の径を調節する場合に、従来のように帯状部を貫通孔内で移動させる必要はなく、係止手段の間から開放部を介して出し入れすることが可能なので、帯状部の歯が係止手段に引っ掛かるようになることはない。【００１０】
第２の発明では、第１の発明において、係止手段は、歯が帯状部の厚み方向に離脱するのを阻止するストッパ部を有している構成とする。【００１１】
この構成によれば、歯を係止手段に係止させた状態で、ストッパ部によって歯の離脱を阻止することが可能になる。【００１２】
第３の発明では、第２の発明において、ストッパ部は、基端部の厚み方向一方側の面から帯状部の厚み方向に離れて配置されている構成とする。【００１３】
この構成によれば、係止手段に係止した歯が、基端部の厚み方向一方側の面とストッパ部との間に位置することになり、これにより、歯が帯状部の厚み方向に移動するのが阻止される。【００１４】
第４の発明では、第２または３の発明において、ストッパ部には、帯状部を係止手段の間へ案内する案内面が形成されている構成とする。【００１５】
この構成によれば、帯状部の歯が形成された部位を係止手段の間に入れる際、該帯状部がストッパ部の案内面により案内される。【００１６】
第５の発明では、第１から４のいずれか１つの発明において、帯状部の基端部は、中間部及び先端部よりも幅広に形成されている構成とする。【００１７】
この構成によれば、基端部が中間部や先端部よりも幅広になるので、歯を係止手段に係止させる際や、係止手段から離脱させる際に基端部を手でしっかりと持つことが可能になる。【００１８】
第６の発明では、第１から５のいずれか１つの発明において、基端部の幅方向両側には、該基端部の幅方向中央部よりも厚肉の厚肉部が形成され、係止手段が上記厚肉部と一体化している構成とする。【００１９】
この構成によれば、基端部の幅方向中央部が両側に比べて変形し易くなる。これにより、歯を係止手段から離脱させる際に、係止手段を容易に変位させることが可能になる。【００２０】
第７の発明では、第１から６のいずれか１つの発明において、係止手段は、基端部の厚み方向一方側の面から突出し、基端部の幅方向に互いに対向するように配置された突起部を有しているものとする。【００２１】
この構成によれば、突起部が帯状部の幅方向両側から歯にそれぞれ係止することになる。【００２２】
第８の発明では、第１から７のいずれか１つの発明において、帯状部の基端部には、係止手段の間に弱化部が設けられている構成とする。【００２３】
この構成によれば、基端部における係止手段の間の部位が変形し易くなる。これにより、係止手段を容易に変位させることが可能になる。【００２４】
第９の発明では、第８の発明において、弱化部は、帯状部の基端部を厚み方向に貫通する孔部で構成されているものとする。【００２５】
この構成によれば、弱化部の構造が簡単になる。【００２６】
また、第１０の発明は、上記バンドがバッグとセットにされたバッグセットである。
【発明の効果】
【００２７】
第１の発明によれば、帯状部の幅方向両側に歯をそれぞれ形成し、係止手段をこれら両側の歯に係止するように帯状部の幅方向に離して複数形成し、これら係止手段の間に帯状部を出し入れするための開放部を設けたので、帯状部を輪にする場合、元の形状に戻す場合、及び輪の径を調節する場合に、帯状部の歯が係止手段に引っ掛かるようになることはなく、操作を簡単にかつ迅速に行うことができる。【００２８】
第２の発明によれば、歯が係止手段に係止した状態で、ストッパ部により歯が不意に離脱するのを阻止することができる。これにより、輪の状態にある帯状部に大きな荷重が作用しても、帯状部を輪の状態のままで保持できる。【００２９】
第３の発明によれば、ストッパ部が、基端部の厚み方向一方側の面から帯状部の厚み方向に離れているので、係止手段に係止した歯が、基端部の面とストッパ部との間に位置することになり、歯が係止手段から不意に離脱するのを確実に阻止することができる。【００３０】
第４の発明によれば、帯状部の歯が形成された部位をストッパ部の案内面によって係止手段の間へ案内することができるので、歯を係止手段に容易に係止させることができる。【００３１】
第５の発明によれば、帯状部の基端部を、中間部及び先端部よりも幅広にしたので、歯を係止手段に係止させる際や、係止手段から離脱させる際に基端部をしっかりと持つことができ、操作性を良好にすることができる。【００３２】
第６の発明によれば、基端部の幅方向両側に厚肉部を形成し、この厚肉部に係止手段を一体化したので、歯を係止手段から離脱させる際に、係止手段を容易に変位させることができ、操作性をより一層良好にすることができる。【００３３】
第７の発明によれば、係止手段が、基端部の幅方向に互いに対向する突起部を有しているため、歯が係止手段に係止した状態で、帯状部の幅方向へのがたつきを少なくすることができる。【００３４】
第８の発明によれば、帯状部の基端部における係止手段の間に弱化部を設けたので、係止手段を容易に変位させることができ、操作性をより一層良好にすることができる。【００３５】
第９の発明によれば、弱化部を簡単に得ることができる。【００３６】
第１０の発明によれば、バッグを吊したり、固定物に固定する操作を簡単にかつ迅速に行うことができる。
【図面の簡単な説明】
【００３７】
【図１】図１は、実施形態に係るバンドの平面図である。
【図２】図２は、帯状部を輪にした状態のバンドの側面図である。
【図３】図３は、バンドの底面図である。
【図４】図４は、バンドの側面図である。
【図５】図５は、帯状部を輪にした状態のバンドの一部を拡大して示す平面図である。
【図６】図６は、帯状部の基端部を拡大して示す平面図である。
【図７】図７（ａ）は図６のＡ−Ａ線断面図であり、図７（ｂ）は図６のＢ−Ｂ線断面図であり、図７（ｃ）は図６のＣ−Ｃ線断面図である。
【図８】図８は、基端部を折り曲げた状態の図７（ｃ）相当図である。
【図９】図９は、帯状部を輪にした状態を示し、（ａ）は図７（ｂ）相当図であり、（ｂ）は図７（ｃ）相当図である。
【図１０】図１０は、歯をストッパ部から離脱させる場合を説明する図９（ｂ）相当図である。
【図１１】図１１は、変形例１に係る図６相当図である。
【図１２】図１２は、変形例２に係る図７（ｂ）相当図である。
【図１３】図１３は、変形例３に係る図６相当図である。
【符号の説明】
【００３８】
１              バンド
２              帯状部
２０            基端部
２１            中間部
２２            先端部
３１、３２      第１歯、第２歯
４１、４２      第１厚肉部、第２厚肉部
５１〜５４      第１〜第４突起部（突起部）
６１、６２      第１ストッパ部、第２ストッパ部
６１ａ、６２ａ  第１対向面、第２対向面（案内面）
６５            孔部（弱化部）
７０            溝部（弱化部）
７１            孔部（弱化部）
Ｓ              開放部
【発明を実施するための最良の形態】
【００３９】
以下、本発明の実施形態を図面に基づいて詳細に説明する。尚、以下の好ましい実施形態の説明は、本質的に例示に過ぎず、本発明、その適用物或いはその用途を制限することを意図するものではない。【００４０】
図１は、本発明の実施形態に係るバンド１を示すものである。このバンド１は、柔軟性を有する樹脂材を用いて成形された一体成形品であり、例えば、各種容器類を吊したり、各種部材をまとめて結束する場合に用いることができるものである。バンド１を成形する樹脂材としては、例えば、ポリエチレンやポリプロピレン等が挙げられるが、これに限定されるものではない。使用時には、図２に示すように、輪になる一方、不使用時には、図３及び図４に示すように、略平坦な板状になる。【００４１】
バンド１は、帯状部２を備えており、輪となったときに外周面となる面が帯状部２の表面２ａとされ、内周面となる面が帯状部２の裏面２ｂとされている。帯状部２は、基端部（図１、３、４の左端部）２０と、中間部２１と、先端部（図１、３、４の右端部）２２とを有している。基端部２０の幅は、先端部２２及び中間部２１の幅よりも広く設定されている。中間部２１の基端側には、多数の係合孔３０、３０、…が形成され、中間部２１の先端側には、多数の第１歯３１、３１、…及び第２歯３２、３２、…が形成されている。つまり、帯状部２の中で幅が最も広い部が基端部２０であり、第１及び第２歯３１、３２よりも先端側の部が先端部２２である。また、中間部２１と先端部２２の肉厚は、同じに設定されている。【００４２】
先端部２２は、帯状部２の先端に近づくほど幅が狭くなる先細形状に形成されている。先端部２２の先端部は、丸く形成されている。図３に示すように、先端部２２の裏面の先端側には、幅方向に延びる複数の突条部３３、３３、…が帯状部２の長手方向に間隔をあけて形成されている。これら突条部３３、３３、…は、先端部２２を手で持った際の滑り止めとなるものである。また、図４にも示すように、先端部２２の裏面には、突条部３３よりも基端側に、係合突起３４が形成されている。この係合突起３４は、円柱状であり、幅方向の略中央部に配置されている。係合突起３４の軸線は、先端部２２の裏面に対し直交している。【００４３】
中間部２１の幅方向一方側（図１の上側）には、多数の第１歯３１、３１、…が帯状部２の長手方向に連続して形成され、また、幅方向他側（図１の下側）には、同様に多数の第２歯３２、３２、…が形成されている。これら第１及び第２歯３１、３２によって中間部２１の幅方向両側は鋸歯形状となっている。第１歯３１と第２歯３２は、中間部２１の長手方向について同じ位置に配置されている。【００４４】
図５に示すように、第１歯３１における帯状部２先端の縁部３１ａは直線状に延びている。また、第１歯３１における帯状部２基端の縁部３１ｂは、帯状部２の長手方向に延びる中心線Ｘに対し直交する方向に直線状に延びている。この縁部３１ｂと、帯状部２の長手方向に延びる中心線Ｘとのなす角度αは、本実施形態では９０゜に設定しているが、これに限られるものではなく、角度αは、８０゜以上１２０゜以下の範囲であればよい。また、第１歯３１における外縁部３１ｃは、帯状部２の長手方向に延びている。第２歯３２は、第１歯３１と同じ形状であり、第２歯３２の各縁部は、第１歯３１の各縁部３１ａ〜３１ｃと同様に延びている。【００４５】
図２に示すように、中間部２１の係合孔３０には、先端部２２の係合突起３４が嵌入して係合するようになっている。これら係合孔３０は、略円形とされており、中間部２１の幅方向中央部に、帯状部２の長手方向に間隔をあけて形成されている。この係合孔３０の間隔は、第１歯３１の間隔と同じに設定されている。【００４６】
図１、図３及び図６に示すように、基端部２０の基端側の縁部は、平面視で、帯状部２の長手方向に直交する直線状に形成されている。また、基端部２０の幅方向両縁部は、平面視で円弧形状とされ、基端側の縁部に連続している。すなわち、基端部２０の幅寸法は、長手方向（図６の中心線Ｘ方向）の中央部が最も広く、長手方向両端側へ行くほど狭くなっている。このように基端部２０の幅方向両縁部を、角の無い円弧形状とすることにより、基端部２０を手で持った際に痛みを感じることが無くなるとともに、基端部２０が他の部材に引っ掛かるようになることも無くなる。【００４７】
基端部２０の幅方向両側には、図７にも示すように、幅方向中央部よりも厚肉の第１厚肉部４１及び第２厚肉部４２が帯状部２の表面２ａ側へ突出するようにそれぞれ形成され、これら第１及び第２厚肉部４１、４２の間には、中間部２１及び先端部２２の肉厚と同じ肉厚の薄肉部４３が形成されている。図７（ａ）に示すように、第１厚肉部４１と薄肉部４３とにより、基端部２０の表面には、第１段差部４４が形成され、同様に第２厚肉部４２と薄肉部４３とにより第２段差部４５が形成されている。第１及び第２厚肉部４１、４２の間隔は、中間部２１及び先端部２２を両厚肉部４１、４２の間に入れることができる程度、即ち、中間部２１の幅寸法と略同じか、若干広めとされている。図６及び図７に示すように、第１及び第２厚肉部４１、４２の表面には、帯状部２の長手方向に延びる複数の突条部４６、４６、…及び突条部４７、４７、…が幅方向に間隔をあけて形成されている。これら突条部４６、４７は、第１及び第２厚肉部４１、４２を手で持つ際の滑り止めである。【００４８】
薄肉部４３には、第１〜第４突起部５１〜５４が形成されている。図５に示すように、第１及び第２突起部５１、５２に、第１歯３１が係止し、第３及び第４突起部５３、５４に第２歯３２が係止するようになっている。図６に示すように、第１及び第２突起部５１、５２は、薄肉部４３の表面から突出するとともに、第１厚肉部４１に連続しており、第２厚肉部４２側へ向けて延びている。第３及び第４突起部５３、５４は、薄肉部４３の表面から突出するとともに、第２厚肉部４２に連続しており、第１厚肉部４１側へ向けて延びている。これら第１〜第４突起部５１〜５４の薄肉部４３表面からの突出寸法は互いに同じであり、中間部２１及び先端部２２の肉厚寸法よりも長く設定されている。尚、第１〜第４突起部５１〜５４の薄肉部４３表面からの突出寸法は、中間部２１及び先端部２２の肉厚寸法と同じにしてもよい。また、第１〜第４突起部５１〜５４の薄肉部４３表面からの突出寸法を中間部２１及び先端部２２の肉厚寸法の２．０倍以下に設定するのが好ましく、特に、１．４倍に設定するのが好ましい。【００４９】
第１突起部５１と第２突起部５２とは、帯状部２の長手方向に所定の間隔をあけて配置されている。この間隔は、第１歯３１の形状に対応したものであり、第１歯３１が両突起部５１、５２の間に入るように設定されている。第３突起部５３と第４突起部５４も、同様に間隔をあけて配置されている。第１突起部５１と第３突起部５３は、基端部２０の幅方向に間隔をあけて配置された状態で、基端部２０の幅方向に互いに対向している。第２突起部５２と第４突起部５４も、同様に基端部２０の幅方向に間隔をあけて配置され、互いに対向している。【００５０】
第１突起部５１における帯状部２基端側の縁部５１ａは、第２厚肉部４２に近づくほど帯状部２の先端側に位置するように傾斜している。この基端側の縁部５１ａは第１歯３１の縁部３１ａに沿うようになっている。一方、第１突起部５１における帯状部２先端側の縁部５１ｂは、帯状部２の長手方向に延びる中心線Ｘに略直交するように延びており、第１歯３１の縁部３１ｂに沿うようになっている。つまり、図６に示すように、第１突起部５１の縁部５１ｂと、帯状部２の長手方向に延びる中心線Ｘとのなす角度βは、上記角度αと同じに設定されている。また、第１突起部５１における第３突起部５３と対向する縁部５１ｃは、帯状部２の長手方向に延びており、第１歯３１の縁部３１ｃに沿うようになっている。つまり、第１突起部５１は、第１歯３１の形状に対応した形状となっている。また、第２〜第４突起部５２〜５４は第１突起部５１と同じ形状であり、第２〜第４突起部５２〜５４の縁部は、第１突起部５１の縁部５１ａ〜５１ｃと同様に延びている。【００５１】
第１厚肉部４１の表面には、第１ストッパ部６１が一体成形され、第２厚肉部４２の表面には、第２ストッパ部６２が一体成形されている。第１ストッパ部６１と、上記第１突起部５１及び第２突起部５２とが、第１歯３１に係止する係止手段を構成しており、また、第２ストッパ部６２と、上記第３突起部５３及び第４突起部５４とが、第２歯３２に係止する係止手段を構成している。【００５２】
第１及び第２ストッパ部６１、６２は、基端部２０の幅方向に対向している。第１ストッパ部６１は、第１厚肉部４１の表面から突出し、かつ、該第１厚肉部４１における薄肉部４３側の縁部に沿って、第１突起部５１から第２突起部５２まで延びている。つまり、第１突起部５１と第２突起部５２は、第１ストッパ部６１によって連結されている。第２ストッパ部６２も同様に、第３突起部５３と第４突起部５４とを連結するように延びている。第１ストッパ部６１における第１厚肉部４１表面からの突出高さＨ（図７（ｂ）に示す）は、０．５ｍｍ以上３．０ｍｍ以下に設定されている。第２ストッパ部６２の突出高さも同様に設定されている。【００５３】
第１ストッパ部６１と第２ストッパ部６２との間は、開放されており、この開放された部分によって、第１及び第２突起部５１、５２と、第３及び第４突起部５３、５４との間に開放部Ｓが構成されている。この開放部Ｓは、中間部２１における第１及び第２歯３１、３２が形成された部位を、第１及び第２突起部５１、５２と、第３及び第４突起部５３、５４との間に出し入れするためのものである。【００５４】
第１ストッパ部６１は、第１厚肉部４１から第２厚肉部４２側へ突出している。第１ストッパ部６１と薄肉部４３の表面との離間寸法Ｒ（図７（ｃ）に示す）は、中間部２１及び先端部２２の肉厚の１．０倍以上２．０倍以下に設定されている。また、第１ストッパ部６１における第２ストッパ部６２との対向面６１ａは、薄肉部４３から肉厚方向に離れるほど、第２ストッパ部６２から離れる方向に傾斜している。第２ストッパ部６２の対向面６２ａも同様に傾斜している。【００５５】
また、基端部２０の薄肉部４３には、帯状部２の長手方向に延びる孔部（弱化部）６５が形成されている。この孔部６５は、基端部２０の幅方向中央部に位置付けられ、基端部２０の幅方向中央部を他の部位に比べて弱くするためのものである。この孔部６５を形成することにより、図８に示すように、基端部２０は、幅方向中央部近傍が起点となって折れ曲がり易くなる。孔部６５の長さは、４０ｍｍ以下に設定するのが好ましい。また、孔部６５の幅は、０．５ｍｍ以上７．０ｍｍ以下に設定するのが好ましく、より好ましくは、４．０ｍｍ以下である。孔部６５の各寸法は、上記した寸法に限られるものではなく、任意に設定することが可能である。【００５６】
尚、各図に示す符号６６は、成形時に成形型を抜いた跡にできた貫通孔である。【００５７】
次に、上記のように構成されたバンド１を使用する場合について説明する。まず、輪を形成する場合には、図２に示すように、帯状部２の中間部２１を屈曲させる。そして、図９に示すように、中間部２１を第１及び第２突起部５１、５２と第３及び第４突起部５３、５４との間に開放部Ｓから入れる。このとき、第１ストッパ部６１の対向面６１ａが上述の如く傾斜しているので、第１歯３１を薄肉部４３側へ押すことにより、該第１歯３１が弾性変形しながら対向面６１ａを滑っていき、第１ストッパ部６１を乗り越えて、第１及び第２突起部５１、５２に係止する。また、第２歯３２も同様に弾性変形しながら第２ストッパ部６２の対向面６２ａを滑って第２ストッパ部６２を乗り越えて、第３及び第４突起部５３、５４に係止する。つまり、帯状部２は、対向面６１ａ、６２ａに案内されながら、突起部５１、５２と突起部５３、５４との間へ案内されるようになっており、対向面６１ａ、６２ａは本発明の案内面を構成している。【００５８】
第１歯３１及び第２歯３２が、第１〜第４突起部５１〜５４と第１及び第２ストッパ部６１、６２に係止すると、中間部２１が基端部２０の薄肉部４３の表面に重ね合わさる。この第１歯及び第２歯３１、３２を係止させる際には、図８に示すように、第１ストッパ部６１と第２ストッパ部６２とが互いに離れるように基端部２０を変形させるようにしてもよい。これにより、第１歯３１及び第２歯３２を、突起部５１〜５４と第１及び第２ストッパ部６１、６２に容易に係止させることが可能である。第１歯及び第２歯３１、３２を、突起部５１〜５４と第１及び第２ストッパ部６１、６２に係止させた後に、係合突起３４を係合孔３０に嵌入して係合させる。【００５９】
バンド１を輪にした状態で、例えば、図２の白抜き矢印の方向に引っ張り荷重を加えると、図９（ｂ）に示すように、第１及び第２歯３１、３２が、第１及び第２ストッパ部６１、６２により、帯状部２の厚み方向に離脱するのが阻止され、突起部５１〜５４に係合した状態で保持される。さらに、係合突起３４を係合孔３０に係合させているので、引っ張り荷重を加えた際に、帯状部２の先端部２２が中間部２１から浮き上がり難くなる。このことによっても、第１及び第２歯３１、３２が突起部５１〜５４から離脱し難くなる。また、第１歯３１が、第１突起部５１と第２突起部５２との間に位置し、第２歯３２が第３突起部５３と第４突起部５４との間に位置しているので、中間部２１はその長手方向の両方に移動することはなく、よって、輪の径は拡大も縮小もしない。尚、輪を形成する場合には、先端部２２を屈曲させるようにしてもよいし、基端部２０を屈曲させるようにしてもよい。【００６０】
次に、輪になっている帯状部２を元の形状に戻す場合について説明する。まず、第１厚肉部４１及び第２厚肉部４２を手で持ち、図１０に示すように、基端部２０を、両ストッパ部６１、６２が互いに離れる方向に折り曲げる。すると、第１歯３１が第１及び第２突起部５１、５２から離脱するとともに、第２歯３２が第３及び第４突起部５３、５４から離脱する。そして、中間部２１を第１及び第２突起部５１、５２と、第３及び第４突起部５３、５４との間から開放部Ｓを介して出す。【００６１】
また、輪の径を調節する場合には、上記のようにして第１及び第２歯３１、３２を第１〜第４突起部５１〜５４から離脱させた後に、任意の径となるように帯状部２を屈曲させ、別の第１及び第２歯３１、３２を、第１〜第４突起部５１〜５４と第１及び第２ストッパ部６１、６２に係止させればよい。【００６２】
以上説明したように、この実施形態に係るバンド１によれば、帯状部２の幅方向両側に第１歯３１及び第２歯３２をそれぞれ形成し、第１〜第４突起部５１〜５４と第１及び第２ストッパ部６１、６２を、第１歯３１及び第２歯３２に係止するように基端部２０に形成し、第１突起部５１、第２突起部５２及び第１ストッパ部６１と、第３突起部５３、第４突起部５４及び第２ストッパ部６２との間に帯状部２を出し入れするための開放部Ｓを設けたので、帯状部２を輪にする場合、元の形状に戻す場合及び輪の径を調節する場合に、帯状部２の第１歯３１及び第２歯３２が突起部５１〜５４に引っ掛かるようになることはなく、操作を簡単にかつ迅速に行うことができる。また、第１歯３１及び第２歯３２が第１〜第４突起部５１〜５４に係止した状態で、第１及び第２ストッパ部６１、６２によりそれら歯３１、３２が不意に離脱するのを阻止することができ、帯状部２を輪の状態のままで保持できる。【００６３】
また、帯状部２の基端部２０を、中間部２１及び先端部２２よりも幅広にしたので、第１歯３１及び第２歯３２を第１〜第４突起部５１〜５４に係止させる際や、突起部５１〜５４から離脱させる際に基端部２０をしっかりと持つことができ、操作性を良好にすることができる。【００６４】
また、基端部２０の幅方向両側に第１及び第２厚肉部４１、４２を形成し、これら厚肉部４１、４２に第１及び第２ストッパ部６１、６２を一体化したので、第１歯３１及び第２歯３２を第１〜第４突起部５１〜５４から離脱させる場合に、第１及び第２ストッパ部６１、６２を容易に変位させることができ、操作性をより一層良好にすることができる。【００６５】
また、第１及び第２突起部５１、５２と、第３及び第４突起部５３、５４とが、基端部２０の表面からそれぞれ突出して互いに対向する形状であるため、第１歯３１及び第２歯３２が第１〜第４突起部５１〜５４に係止した状態で、帯状部２の幅方向へのがたつきを少なくすることができる。【００６６】
また、第１及び第２ストッパ部６１、６２が、薄肉部４３の表面から帯状部２の厚み方向に離れているので、第１歯３１及び第２歯３２が第１〜第４突起部５１〜５４に係止した状態で、第１歯３１及び第２歯３２が帯状部２の厚み方向に移動しなくなり、第１歯３１及び第２歯３２が不意に離脱するのを確実に阻止することができる。【００６７】
また、第１及び第２ストッパ部６１、６２の対向面６１ａ、６２ａによって、帯状部２を、第１及び第２突起部５１、５２と第３及び第４突起部５３、５４との間へ案内することができるので、第１歯３１及び第２歯３２を第１〜第４突起部５１〜５４に容易に係止させることができる。【００６８】
また、帯状部２の基端部２０における第１及び第２突起部５１、５２と第３及び第４突起部５３、５４との間に孔部６５を設けたので、基端部２０を変形させて、第１及び第２ストッパ部６１、６２を容易に変位させることができ、操作性をより一層良好にすることができる。【００６９】
尚、図１１に示す変形例１のように、基端部２０の縁部の形状を多角形状としてもよい。また、この変形例１では、第１ストッパ部６１を第１突起部５１よりも帯状部２の基端側へ延長するとともに、第２突起部５２よりも帯状部２の先端側へ延長している。これにより、第１ストッパ部６１により複数の第１歯３１を押さえることが可能になる。第２ストッパ部６２も同様に延長しており、複数の第２歯３２を押さえることが可能になっている。【００７０】
また、上記実施形態では、本発明の弱化部を、基端部２０を貫通する１つの孔部６５で構成したが、これに限らず、図１２に示す変形例２のように溝部７０で構成してもよいし、図１３に示す変形例３のように複数の孔部７１、７１、…で構成してもよい。また、図示しないが、弱化部は、複数の溝部で構成してもよいし、溝部と孔部とを組み合わせて構成してもよい。また、弱化部は、薄肉ヒンジ等で構成してもよい。【００７１】
また、歯は、先端部２２に形成してもよい。また、第１及び第２ストッパ部６１、６２の一方を省略してもよい。また、上記実施形態では、４つの突起部５１〜５４を設けているが、突起部の数は、これに限られるものではない。【００７２】
また、上記バンド１とバッグ（容器）がセットされたバッグセットを構成することも可能である。バッグとしては、例えば、導尿バッグが挙げられる。この導尿バッグは、医療現場において患者から導出された尿を溜めるためのバッグであり、従来周知のものである。この場合、導尿バッグを吊す操作を簡単にかつ迅速に行うことができる。また、吊された導尿バッグが不意に落下するのを防止することができ、医療行為の信頼性を向上させることができる。バッグの種類は、上記に限定されるものではなく、各種吊り下げ用のバッグであればよい。【００７３】
また、上記バンド１と、各種医療器具とをセットにしてもよい。
【産業上の利用可能性】
【００７４】
以上説明したように、本発明に係るバンドは、例えば、医療現場において各種バッグ類を吊す場合に用いることができる。
【図１】
2009041071.tif 000003
【図２】
2009041071.tif 000004
【図３】
2009041071.tif 000005
【図４】
2009041071.tif 000006
【図５】
2009041071.tif 000007
【図６】
2009041071.tif 000008
【図７】
2009041071.tif 000009
【図８】
2009041071.tif 000010
【図９】
2009041071.tif 000011
【図１０】
2009041071.tif 000012
【図１１】
2009041071.tif 000013
【図１２】
2009041071.tif 000014
【図１３】
2009041071.tif 000015
【国際調査報告】
2009041071.tif 000016
2009041071.tif 000017
2009041071.tif 000018
2009041071.tif 000019